(57)【要約】      （修正有）【課題】誘導加熱コイルへの通電時における温度センサーの温度検知の追従性不良を防止することができる誘導加熱調理器を提供する。【解決手段】通電スイッチをＯＮした際に火力レベルが「強」になっていて、サーミスタ７による検知温度が所定温度（５０℃）より低い場合に、サーミスタ７による検知温度が所定温度（５０℃）に達するまでの間、制御装置８の制御によって誘導加熱コイル５への通電の大きさ（火力レベル）を「中」レベルに下げることによって、誘導加熱コイル５への通電時におけるサーミスタ７の鍋６に対する温度検知の追従性不良を防止することができるので、使用者の意図しない不用意な鍋６の急激な温度上昇を抑えることができる。【選択図】      図２
2005011670.tif 000002
【特許請求の範囲】
【請求項１】
高周波電流の通電により高周波磁界を発生する誘導加熱コイルを板状の非導電性部材の下側に設け、前記誘導加熱コイルに高周波電流を通電して前記非導電性部材上に載置した調理器具を電磁誘導によって加熱する誘導加熱調理器において、
前記非導電性部材の下面に当接又は近接し、電磁誘導によって加熱される前記調理器具の温度を前記非導電性部材を介して検知する温度検知手段と、
前記温度検知手段で検知した温度情報に基づいて前記誘導加熱コイルへの通電制御を行う制御手段と、
電磁誘導によって前記調理器具を加熱する際の前記誘導加熱コイルへの通電の大きさを調整する通電レベル調整スイッチと、
前記誘導加熱コイルへの通電のオン／オフする通電スイッチと、を有し、
前記通電スイッチをオンした際に、前記温度検知手段による検知温度が所定温度より低い場合に、前記温度検知手段による検知温度が前記所定温度に達するまでの間、前記制御手段の制御によって前記誘導加熱コイルへの通電の大きさを所定のレベルに下げる、
ことを特徴とする誘導加熱調理器。
【請求項２】
高周波電流の通電により高周波磁界を発生する誘導加熱コイルを板状の非導電性部材の下側に設け、前記誘導加熱コイルに高周波電流を通電して前記非導電性部材上に載置した調理器具を電磁誘導によって加熱する誘導加熱調理器において、
前記非導電性部材の下面に当接又は近接し、電磁誘導によって加熱される前記調理器具の温度を前記非導電性部材を介して検知する温度検知手段と、
前記温度検知手段で検知した温度情報に基づいて前記誘導加熱コイルへの通電制御を行う制御手段と、
電磁誘導によって前記調理器具を加熱する際の前記誘導加熱コイルへの通電の大きさを調整する通電レベル調整スイッチと、
前記誘導加熱コイルへの通電のオン／オフする通電スイッチと、を有し、
前記通電スイッチをオンした際に、前記温度検知手段による検知温度が所定温度より低い場合に、所定時間が経過するまでの間、前記制御手段の制御によって前記誘導加熱コイルへの通電の大きさを所定のレベルに下げる、
ことを特徴とする誘導加熱調理器。
【発明の詳細な説明】
【０００１】
【発明の属する技術分野】
本発明は、誘導加熱方式の調理器や炊飯器等の誘導加熱調理器に関する。
【０００２】
【従来の技術】
誘導加熱方式による誘導加熱調理器等は、磁性を有する鍋などの調理器具が載置される非導電性部材からなるガラスプレートなどの下側に誘導加熱コイルを備え、この誘導加熱コイルに高周波電流を通電することにより、誘導加熱コイルに高周波磁界を発生させ、この高周波磁界によってガラスプレート上の調理器具（鍋など）を直接加熱することにより、調理を行うことができる。
【０００３】
上記した誘導加熱方式による誘導加熱調理器では、ガラスプレートの下面に調理器具の温度を検知する温度センサーを設置し、この温度センサーで調理時における調理器具の温度をガラスプレートを介して検知して、調理時における温度制御を行うようにしている。
【０００４】
この際、電源投入時において、火力が強い場合には、ガラスプレート上の調理器具（鍋など）は、誘導加熱によって直ちに加熱されて急激に温度上昇するが、温度センサーはガラスプレートを介して調理器具（鍋など）の温度を検出することにより、初期時は温度検知の追従が遅く、調理器具（鍋など）が所定温度以上に上昇した場合における適切な温度制御が遅れる場合があった。
【０００５】
このため、電源投入時における温度センサーによる温度検知の追従性を向上させるために、例えば、キュリー温度を有する磁性フェライト等の材質で構成した金属製のキャップ内に温度センサー（温度検知素子）を配置した誘導加熱調理器が提案されている（例えば、特許文献１参照）。
【０００６】
この特許文献１では、電源投入時において、ガラスプレートからの熱伝導に加えて、キャップがキュリー温度に達するまでは磁束の通過でキャップ自体を発熱させて、温度センサー（温度検知素子）を効果的に加熱するようにしている。
【０００７】
【特許文献１】
実開平６−１５１０４９号公報
【０００８】
【発明が解決しようとする課題】
しかしながら、特許文献１のように、キャップ自体を発熱させて、温度センサー（温度検知素子）を加熱する構成においては、別の加熱源であるキャップで温度センサーを加熱するため、構成が複雑になるとともに、調理器具の温度上昇に対して温度センサーの温度上昇が対応するわけではないので、温度センサーの温度上昇の方が大きいときには火力が弱められてしまい、調理器具の加熱力不足が生じる場合があった。
【０００９】
そこで本発明は、電源投入時において加熱力不足が生じることなく調理器具の過剰昇温を防止することができる誘導加熱調理器を提供することを目的とする。
【００１０】
【課題を解決するための手段】
上記課題を解決するために請求項１に記載の発明は、高周波電流の通電により高周波磁界を発生する誘導加熱コイルを板状の非導電性部材の下側に設け、前記誘導加熱コイルに高周波電流を通電して前記非導電性部材上に載置した調理器具を電磁誘導によって加熱する誘導加熱調理器において、前記非導電性部材の下面に当接又は近接し、電磁誘導によって加熱される前記調理器具の温度を前記非導電性部材を介して検知する温度検知手段と、前記温度検知手段で検知した温度情報に基づいて前記誘導加熱コイルへの通電制御を行う制御手段と、電磁誘導によって前記調理器具を加熱する際の前記誘導加熱コイルへの通電の大きさを調整する通電レベル調整スイッチと、前記誘導加熱コイルへの通電のオン／オフする通電スイッチと、を有し、前記通電スイッチをオンした際に、前記温度検知手段による検知温度が所定温度より低い場合に、前記温度検知手段による検知温度が前記所定温度に達するまでの間、前記制御手段の制御によって前記誘導加熱コイルへの通電の大きさを所定のレベルに下げることを特徴としている。
【００１１】
また、請求項２に記載の発明は、高周波電流の通電により高周波磁界を発生する誘導加熱コイルを板状の非導電性部材の下側に設け、前記誘導加熱コイルに高周波電流を通電して前記非導電性部材上に載置した調理器具を電磁誘導によって加熱する誘導加熱調理器において、前記非導電性部材の下面に当接又は近接し、電磁誘導によって加熱される前記調理器具の温度を前記非導電性部材を介して検知する温度検知手段と、前記温度検知手段で検知した温度情報に基づいて前記誘導加熱コイルへの通電制御を行う制御手段と、電磁誘導によって前記調理器具を加熱する際の前記誘導加熱コイルへの通電の大きさを調整する通電レベル調整スイッチと、前記誘導加熱コイルへの通電のオン／オフする通電スイッチと、を有し、前記通電スイッチをオンした際に、前記温度検知手段による検知温度が所定温度より低い場合に、所定時間が経過するまでの間、前記制御手段の制御によって前記誘導加熱コイルへの通電の大きさを所定のレベルに下げることを特徴としている。
【００１２】
【発明の実施の形態】
以下、本発明を図示の実施の形態に基づいて説明する。
【００１３】
〈実施の形態１〉
図１は、本発明の実施の形態１に係る誘導加熱調理器を示す概略斜視図、図２は、本発明の実施の形態１に係る誘導加熱調理器を示す概略断面図である。
【００１４】
本実施の形態に係る誘導加熱調理器（ＩＨクッキングヒーター）１は、調理器本体２の上面に非導電性部材としてのガラスプレート３が設置されており、調理器本体２の前面側には操作パネル４が設置されている。ガラスプレート３の下面には、誘導加熱コイル５が非接触に設置されており、ガラスプレート３上に載置される磁性を有する調理器具としての鍋６を電磁誘導加熱（Ｉｎｄｕｃｔｉｏｎ  Ｈｅａｔｉｎｇ）によって加熱することができる。なお、図１の誘導加熱調理器１は、ガラスプレート３表面に二口のリング状の加熱面３ａ，３ｂを備えており、各加熱面３ａ，３ｂの下方に位置するようにして誘導加熱コイル５がそれぞれ設置されている。
【００１５】
ガラスプレート３の下面には、温度センサーとしてのサーミスタ７がガラスプレート３に接するようにして設置されており、調理時における鍋６の温度をガラスプレート３を介して検知する。
【００１６】
操作パネル４とサーミスタ７には制御装置（ＣＰＵ）８が接続されており、制御装置（ＣＰＵ）８は、使用者の操作によって操作パネル４から入力される火力調整情報に基づいて駆動回路９に制御信号を出力して誘導加熱コイル５への高周波電流の通電等を制御し、更にサーミスタ７から入力される温度情報に基づいて鍋６に対して温度制御を行う。この温度制御では、鍋６を所定温度に保持したり、鍋６が所定温度以上に上昇したときには誘導加熱コイル５への高周波電流の通電を停止して、過加熱を防止する。
【００１７】
操作パネル４には、図３に示すように、誘導加熱コイル５に印加する高周波電流の通電レベルを調整する火力調整スイッチ４ａ，４ｂ、火力調整スイッチ４ａ，４ｂの押圧操作と連動して上記した通電レベルに応じた火力レベル（本実施の形態では、「弱」〜「強」の７レベル）を点灯表示する表示ランプ４ｃ，４ｄ、電源スイッチ４ｅ、右側の誘導加熱コイル５（加熱面３ａ）への通電スイッチ４ｆ，左側の誘導加熱コイル５（加熱面３ｂ）への通電スイッチ４ｇが設けられている。
【００１８】
火力調整スイッチ４ａ，４ｂの押圧により火力調整を行うことができ、右側の矢印部分を押圧すると誘導加熱コイル５への通電が増加して火力が上がり、左側の矢印部分を押圧すると誘導加熱コイル５への通電が減少して火力を下げることができる。
【００１９】
表示ランプ４ｃ，４ｄは、火力レベル「弱」〜「中」〜「強」の間を本実施の形態では７レベルに分けて一列に配置した７個の表示ランプを有し、火力調整スイッチ４ａ又は４ｂの押圧操作によって設定した火力レベルの位置を点灯表示する。
【００２０】
また、調理器本体２内には、上記した誘導加熱コイル５、制御装置８、誘導加熱コイル５の駆動回路９や、この誘導加熱コイル５、駆動回路９などを冷却する冷却ファン（不図示）などが設けられている。
【００２１】
次に、上記した本実施の形態に係る誘導加熱調理器１の加熱動作について説明する。
【００２２】
先ず、使用者が操作パネル４の電源スイッチ４ｅをＯＮして、例えば右側の誘導加熱コイル５（加熱面３ａ）への通電スイッチ４ｆをＯＮすることにより、制御装置８からの制御信号によって駆動回路９から加熱面３ａ側の誘導加熱コイル５に高周波電流が通電される。誘導加熱コイル５に高周波電流が通電されると、電磁誘導により磁性を有する鍋６に高周波磁界が発生することによって鍋６にうず電流が流れ、このうず電流によるジュール熱によって鍋６が加熱され、調理を行うことができる。
【００２３】
この際、使用者は鍋６による調理（揚げ物、煮物等）に応じて、火力調整スイッチ４ａ又は４ｂで火力を調整する。
【００２４】
ところで、使用者が上記した誘導加熱調理器１の操作パネル４の電源スイッチ４ｅをＯＮして、例えば右側の誘導加熱コイル５（加熱面３ａ）への通電スイッチ４ｆをＯＮした際に、その前の使用時において火力調整スイッチ４ａの操作で火力レベルが「強」のままになっていた場合、あるいは直ぐに強い火力がほしいために、例えば右側の誘導加熱コイル５（加熱面３ａ）への通電スイッチ４ｆをＯＮした直後に火力調整スイッチ４ａを操作して火力レベルを「強」にした場合には、ガラスプレート３上の鍋６は、誘導加熱によって直ちに加熱されて急激に温度上昇する。
【００２５】
また、本実施の形態の誘導加熱調理器１では、通電スイッチ４ｆをＯＮした際に、自動的に火力レベルが「強」になるように設定することもできる。
【００２６】
以下、本実施の形態における通電開始時から火力レベルを「強」に設定した場合における火力レベルの制御を、図４に示すフローチャートを参照して説明する。
【００２７】
上記したように火力レベルが「強」になっていると、通電スイッチ４ｆをＯＮした直後に誘導加熱によって鍋６の温度が急激に上昇することによって、室温状態のサーミスタ７は、熱伝導率が悪いガラスプレート３を介して鍋６の温度を検知することにより、温度検知の追従が遅れて鍋６が温度過昇する場合があった。
【００２８】
このため、本発明の実施の形態では、上記のように例えば右側の誘導加熱コイル５（加熱面３ａ）への通電スイッチ４ｆをＯＮした際に、その前の使用時において火力調整スイッチ４ａの操作で火力レベルが「強」のままになっていた場合、あるいは誘導加熱コイル５（加熱面３ａ）への通電スイッチ４ｆをＯＮした直後に火力調整スイッチ４ａを操作して火力レベルを「強」に設定した場合に（ステップＳ１）、制御装置８は、サーミスタ７から入力される検知温度情報に基づいて、サーミスタ７の検知温度が所定温度（本実施の形態では５０℃）以上か否かを判定する（ステップＳ２）。
【００２９】
なお、ステップＳ２において、判定するサーミスタ７の検知温度を５０℃としたが、この温度に限定されることなく、例えば検知温度を４０℃〜７０℃程度の間に設定してもよい。
【００３０】
ステップＳ２で、サーミスタ７の検知温度が５０℃以下であった場合には、通電スイッチ４ｆのＯＮと同時に、制御装置８の制御によって誘導加熱コイル５への通電を下げて火力レベル「中」位に弱めた火力に設定して（ステップＳ３）、鍋６の温度が急激に上昇しないようにする。この際、表示ランプ４ｃの「強」の位置を点滅させて、火力レベルが「中」に抑えられていることを使用者に知らせる。
【００３１】
そして、火力レベル「中」で加熱している最中において、制御装置８は、サーミスタ７から入力される検知温度情報に基づいて、サーミスタ７の検知温度が５０℃以上に上昇したことを検知すると（ステップＳ４）、最初に設定している火力レベル「強」に応じた通電を行い（ステップＳ５）、火力レベル「強」で鍋６を加熱して調理を行う。
【００３２】
また、ステップＳ４において、サーミスタ７の検知温度が５０℃に達するまでの間（この間の時間は１分程度）は、火力レベル「中」で加熱を行う。また、ステップＳ１において、最初から火力レベルが「強」に設定されていない場合には、設定した火力レベルに応じた通電を行い（ステップＳ６）、設定した火力レベルで鍋６を加熱して調理を行う。
【００３３】
このように、調理の開始段階において火力レベルが「強」である場合は、制御装置８の制御によってサーミスタ７の検知温度が５０℃以上になるまで自動的に火力レベルを「中」に下げることによって、使用者の意図しない不用意な鍋６の急激な温度上昇を抑えることができる。
【００３４】
〈実施の形態２〉
本実施の形態における誘導加熱調理器は、通電開始時から火力レベルを「強」に設定した場合における火力レベルの制御以外は図１〜図３に示した実施の形態１の誘導加熱調理器と同様であり、重複する説明は省略する。
【００３５】
以下、本実施の形態における通電開始時から火力レベルを「強」に設定した場合における火力レベルの制御を、図５に示すフローチャートを参照して説明する。
【００３６】
上記したように火力レベルが「強」になっていると、通電スイッチ４ｆをＯＮした直後に誘導加熱によって鍋６の温度が急激に上昇することによって、室温状態のサーミスタ７は、熱伝導率が悪いガラスプレート３を介して鍋６の温度を検知することにより、温度検知の追従が遅れて鍋６が温度過昇する場合があった。
【００３７】
このため、本発明の実施の形態では、上記のように使用者が誘導加熱調理器１の操作パネル４の例えば通電スイッチ４ｆをＯＮした際に、その前の使用時において火力調整スイッチ４ａの操作で火力レベルが「強」のままになっていた場合、あるいは通電スイッチ４ｆをＯＮした直後に火力調整スイッチ４ａを操作して火力レベルを「強」に設定した場合に（ステップＳ１１）、制御装置８は、サーミスタ７から入力される検知温度情報に基づいて、サーミスタ７の検知温度が所定温度（本実施の形態では５０℃）以上か否かを判定する（ステップＳ１２）。
【００３８】
なお、ステップＳ１２において、判定するサーミスタ７の検知温度を５０℃としたが、この温度に限定されることなく、例えば検知温度を４０℃〜７０℃程度の間に設定してもよい。
【００３９】
ステップＳ１２で、サーミスタ７の検知温度が５０℃以下であった場合には、図６に示すように、通電スイッチ４ｆのＯＮと同時にタイマーをスタートさせる（ステップＳ１３）と共に、制御装置８の制御によって誘導加熱コイル５への通電を下げて火力レベル「中」位に弱めた火力に設定する（ステップＳ１４）。この際、表示ランプ４ｃの「強」の位置を点滅させて、火力レベルが「中」に抑えられていることを使用者に知らせる。
【００４０】
そして、通電スイッチ４ｆのＯＮから所定時間（本実施の形態では１分間）ｔ１が経過すると（ステップＳ１５）、サーミスタ７の検知温度は所定温度（５０℃程度）以上に達していると推定されるので、最初に設定している火力レベル「強」に応じた通電を行い（ステップＳ１６）、火力レベル「強」で鍋６を加熱して調理を行う。また、ステップＳ１１において、最初から火力レベルが「強」に設定されていない場合には、設定した火力レベルに応じた通電を行い（ステップＳ１７）、設定した火力レベルで鍋６を加熱して調理を行う。
【００４１】
このように、通電スイッチ４ｆ（又は４ｇ）をＯＮした際に火力レベルが「強」になっていた場合は、制御装置８の制御によって自動的に火力レベルを「中」に所定時間（本実施の形態では１分間）の間だけ下げることによって、使用者の意図しない不用意な鍋６の急激な温度上昇を抑えることができる。
【００４２】
また、本実施の形態では、通電スイッチ４ｆをＯＮした後に火力レベルを「強」から「中」に下げている時間を１分間としたが、これに限定されることなく、例えば誘導加熱調理器１の出力や鍋６などの調理器具の種類などに応じて任意の時間（数十秒〜２、３分間程度）に設定することができる。
【００４３】
また、上記した実施の形態１、２では、通電スイッチ４ｆをＯＮした後に火力レベルを「強」から「中」に下げるようにしたが、「強」〜「弱」の間の火力レベルに下げるようにしてもよい。なお、火力レベルが「中」〜「弱」では加熱開始時の火力が弱く、鍋６の温度上昇が緩やか過ぎるので、使い勝手が悪くなる。
【００４４】
また、上記した実施の形態１、２では、操作パネル４に押圧式の火力調整スイッチ４ａ，４ｂを有する誘導加熱調理器１の例であったが、火力調整スイッチが、例えば左右に回すことによって火力レベルを調整するダイヤル式のつまみである誘導加熱調理器においても同様に本発明を適用することができる。
【００４５】
〈実施の形態３〉
実施の形態２では、通電スイッチ４ｆ（又は４ｇ）をＯＮした際に火力レベルが「強」になっていた場合は、制御装置８の制御によって自動的に火力レベルを最初から「中」に所定時間（例えば１分間程度）の間だけ下げる構成であったが、本実施の形態では、図７に示すように、通電スイッチ４ｆ（又は４ｇ）をＯＮした際に火力レベルが「強」になっていた場合は、制御装置８の制御によって自動的に火力レベル「強」から「中」に直線的に所定時間ｔ１（例えば４５秒間程度）の間で下げ、その後火力レベルを「強」に戻すようにした。
【００４６】
本実施の形態においても、使用者の意図しない不用意な鍋６の急激な温度上昇を抑えることができる。
【００４７】
なお、図７に示した本実施の形態における火力レベルの「強」から「中」への制御パターンでは、図６に示した実施の形態２における火力レベルの「強」から「中」への制御パターンに比べて、所定時間ｔ１内の加熱量が大きいため、火力レベルを下げる必要のある時間を短縮できる。
【００４８】
〈実施の形態４〉
本実施の形態では、図８に示すように、通電スイッチ４ｆ（又は４ｇ）をＯＮした際に火力レベルが「強」になっていた場合は、制御装置８の制御によって自動的に火力レベル「強」から「中」に階段状に所定時間ｔ１（例えば４５秒間程度）の間で下げ、その後火力レベルを「強」に戻すようにした。
【００４９】
本実施の形態においても、使用者の意図しない不用意な鍋６の急激な温度上昇を抑えることができる。
【００５０】
なお、図８に示した本実施の形態における火力レベルの「強」から「中」への制御パターンでは、図６に示した実施の形態２における火力レベルの「強」から「中」への制御パターンに比べて、所定時間ｔ１内の加熱量が大きいため、火力レベルを下げる必要のある時間を短縮できる。
【００５１】
【発明の効果】
以上説明したように請求項１に記載の発明によれば、通電スイッチをオンした際に温度検知手段による検知温度が所定温度より低い場合に、温度検知手段による検知温度がこの所定温度に達するまでの間、制御手段の制御によって誘導加熱コイルへの通電の大きさを所定のレベルに下げることにより、誘導加熱コイルへの通電時における温度検知手段の調理器具に対する温度検知の追従性不良を防止することができるので、使用者の意図しない不用意な調理器具の急激な温度上昇を抑えることができる。
【００５２】
また、請求項２に記載の発明によれば、通電スイッチをオンした際に温度検知手段による検知温度が所定温度より低い場合に、所定時間が経過するまでの間、制御手段の制御によって誘導加熱コイルへの通電の大きさを所定のレベルに下げることにより、誘導加熱コイルへの通電時における温度検知手段の調理器具に対する温度検知の追従性不良を防止することができるので、使用者の意図しない不用意な調理器具の急激な温度上昇を抑えることができる。
【図面の簡単な説明】
【図１】本発明の実施の形態１に係る誘導加熱調理器を示す概略外観図。
【図２】本発明の実施の形態１に係る誘導加熱調理器を示す概略断面図。
【図３】本発明の実施の形態１に係る誘導加熱調理器の操作パネルを示す図。
【図４】本発明の実施の形態１における火力レベルの制御を説明するためのフローチャート。
【図５】本発明の実施の形態２における火力レベルの制御を説明するためのフローチャート。
【図６】本発明の実施の形態２における火力レベルの制御パターンを示す図。
【図７】本発明の実施の形態３における火力レベルの制御パターンを示す図。
【図８】本発明の実施の形態４における火力レベルの制御パターンを示す図。
【符号の説明】
１        誘導加熱調理器
２        調理器本体
３        ガラスプレート（非導電性部材）
４        操作パネル
４ａ，４ｂ        火力調整スイッチ（通電レベル調整スイッチ）
４ｃ，４ｄ        表示ランプ
４ｅ      電源スイッチ
４ｆ，４ｇ        通電スイッチ
５        誘導加熱コイル
６        鍋（調理器具）
７        サーミスタ（温度検知手段）
８        制御装置（制御手段）
【図１】
2005011670.tif 000003
【図２】
2005011670.tif 000004
【図３】
2005011670.tif 000005
【図４】
2005011670.tif 000006
【図５】
2005011670.tif 000007
【図６】
2005011670.tif 000008
【図７】
2005011670.tif 000009
【図８】
2005011670.tif 000010